(57)【要約】【課題】  配線などの線材を結束する作業を、短時間で効率よく行うことができる結束バンドを提供する。【解決手段】  離間して等間隔に球体１１を複数設け、これら球体１１と一体に形成される連結部１２を備えた線状体１３の端部に案内部２０を一体的に設け、案内部２０に連結部１３を係止する係止溝２１を形成し、案内部２０に線状体１３を挿通する切欠溝２２を形成する。これにより、係止溝２１に連結部１３を係止する際に、線状体１３の先端を係止部２０に挿入して、線材Ｗの束のサイズに対応させて徐々移動させながら絞り込んで結束する必要がないので、線材Ｗの結束作業を効率良く行うことができる。【選択図】      図４
2005206226.tif 000002
【特許請求の範囲】
【請求項１】
離間して等間隔に複数設けられた膨出部と、これら膨出部を一体に連結する連結部とを備えた線状体を設け、この線状体の一端部に該線状体を環状に連結する案内部を一体形成する結束バンドにおいて、前記案内部に前記膨出部を通す挿通孔と、該挿通孔と連通して前記連結部を係止する係止溝とを形成するとともに、前記案内部に、該案内部の外部から前記挿通孔内に前記線状体を挿通する切欠溝を設けたことを特徴とする結束バンド。
【請求項２】
前記膨出部は、球体であることを特徴とする請求項１記載の結束バンド。
【請求項３】
前記切欠溝には、内側に向かうに従って幅を狭く形成した狭幅部を形成し、該狭幅部の幅は、前記連結部の直径より僅かに小さく形成したことを特徴とする請求項１又は２記載の結束バンド。
【発明の詳細な説明】
【技術分野】
【０００１】
本発明は、線材などの結束に使用する結束バンドであり、特に、電子機器などに備えられた複数の電気配線などを束ねる際に、短時間で効率的よく結束することができる作業性に優れた結束バンドに関する。
【背景技術】
【０００２】
電子機器などに内蔵された各種機器や構成部品を電気的に接続する際は、一般的に電気配線が用いられており、近年における電子機器においては、特に、種々の機能を有する複数の装置を備えることや、或いは、高電圧なブラウン管などの装置に配線が接触することにより、事故を引き起こすことがないようするために、電子機器に備えられた複数の配線を確実に結束することが求められている。
【０００３】
そこで、このような課題に対処するために、特許文献１には、複数の電気配線などの物品を束ねたりする結束バンドが開示されている。この特許文献１においては、複数の電気配線などの線材を結束するために、バンド部に巻き付けて束ねられた線材を、バンド部と一体に設けられているバックル部の挿通孔に、バンド部の先端から挿入させて、バンド部を絞り込むことにより線材を束ねている。
【特許文献１】特開２００３−２３７８２３号公報
【発明の開示】
【発明が解決しようとする課題】
【０００４】
しかし、一般的な結束バンドや上述した特許文献１などにおいては、単に、線材を結束することはできるものの、線材などを結束する際に、バンド部に設けられている挿入孔に、バンド部を、そのバンド部の先端から挿入させて、円環状となったバンド部をその先端から徐々に線材に当接するまで絞り込まなければならないので、その作業に時間がかかってしまう。しかも、挿通孔とこの挿通孔に挿入される結束バンドの径が略同寸であることから、バンド部の横幅に対応して比較的小さい挿通孔に結束バンドの先端を挿入するには容易ではないことから、線材などを結束する作業工程に非常に手間と時間が掛かってしまい作業の効率化を図ることができなかった。
【０００５】
本発明は、上記背景技術を鑑みてなされたものであり、配線などの線材を結束する作業を、短時間で効率よく行うことができる結束バンドを提供することをその目的とする。
【課題を解決するための手段】
【０００６】
請求項１に係る結束バンドは、離間して等間隔に複数設けられた膨出部と、これら膨出部を一体に連結する連結部とを備えた線状体を設け、この線状体の一端部に該線状体を環状に連結する案内部を一体形成する結束バンドにおいて、前記案内部に前記膨出部を通す挿通孔と、該挿通孔と連通して前記連結部を係止する係止溝とを形成するとともに、前記案内部に、該案内部の外部から前記挿通孔内に前記線状体を挿通する切欠溝を設けたことを特徴とする。
【０００７】
請求項１の構成によれば、作業者などは、目視により複数の束ねられた線材の径に対応させて、切欠溝から案内部へ直接連結部の所望の箇所を挿通して線状体を案内部の挿通孔に保持することができるので、一般的に用いられる結束バンドのように、複数の線材などを結束する際に、線状体などのバンド部の先端部を、バンド部を係止する挿通孔に挿入して、線材の束のサイズに対応させて徐々移動させながら絞り込んで結束する必要はなく、容易に複数の線材を結束することができる。
【０００８】
請求項２に係る結束バンドは、請求項１記載の結束バンドにおいて、前記膨出部は、球体であることを特徴とする。
【０００９】
請求項２の構成によれば、線状体に球体を形成することにより、複数の線材を強固に結束する際に、線状体の先端側を比較的弱い力で引っ張ったとしても、案内部内に線状体の球体をスムーズにスライドさせて、容易且つ確実に複数の線材の締め込みを行うことができる。
【００１０】
請求項３に係る結束バンドは、請求項１又は２記載の結束バンドにおいて、前記切欠溝には、内側に向かうに従って幅を狭く形成した狭幅部を形成し、該狭幅部の幅は、前記連結部の直径より僅かに小さく形成したことを特徴とする。
【００１１】
請求項３の構成によれば、係止溝に係止された線状体が不測の事態などにより外れてしまったとしても、案内部を撓ませなければ線材を案内部から取り外すことはできないので、線状体が係止溝から外れたとしても、案内部の挿通孔により線材を保持することができる。
【発明の効果】
【００１２】
請求項１の結束バンドの発明によれば、離間して等間隔に複数設けられた膨出部と、これら膨出部を一体に連結する連結部とを備えた線状体を設け、この線状体の一端部に該線状体を環状に連結する案内部を一体形成する結束バンドにおいて、前記案内部に前記膨出部を通す挿通孔と、該挿通孔と連通して前記連結部を係止する係止溝とを形成するとともに、前記案内部に、該案内部の外部から前記挿通孔内に前記線状体を挿通する切欠溝を設けたことを特徴とする結束バンドを設けたので、一般的に用いられる結束バンドのように、複数の線材などを結束する際に、線状体をその先端部から徐々移動させながら絞り込んで結束する必要がないので、複数の電気配線などを束ねて結束する際に、短時間で効率的よく結束することができ、作業性に優れ生産効率を向上する結束バンドを提供することができる。
【００１３】
請求項２の結束バンドの発明によれば、請求項１において、前記膨出部を、球体としたので、比較的弱い力で引っ張ったとしても、案内部内に線状体の球体をスムーズにスライドさせて、容易且つ確実に複数の線材の締め込みを行うことができ作業性が向上する。
【００１４】
請求項３の結束バンドの発明によれば、請求項１又は２において、前記切欠溝には、内側に向かうに従って幅を狭く形成した狭幅部を形成し、該狭幅部の幅は、前記連結部の直径より僅かに小さく形成したので、係止溝に係止された線状体が不測の事態などにより外れてしまったとしても、案内部の挿通孔により線材を確実に保持できすることができる。
【発明を実施するための最良の形態】
【００１５】
以下、本発明を実施するための最良の形態としての実施例を以下の図１〜６を参照しながら説明する。もちろん、本発明は、その発明の趣旨に反しない範囲で、実施例において説明した以外の構成のものに対しても容易に適用可能なことは説明を要するまでもない。
【００１６】
図１は、本発明に係る結束バンドの一例を示す正面図である。本実施例における結束バンド１０においては、図示しないテレビジョン受像機などの電子機器に内蔵された各種装置などを接続する電気配線などの複数の線材Ｗを束ねる際に用いられるものであり、この結束バンド１０の材質は合成樹脂からなる復元力を有する弾性体である。
【００１７】
この結束バンド１０には、複数の膨出部たる球体１１が等間隔に連続して設けられており、これらの球体１１と一体に設けられた断面円形型である複数の連結部１２とにより、線材Ｗなどを束ねる線状体１３が一体に形成されている。
【００１８】
線状体１３の一方の端部には、全体の形状を楕円型とする平板状の案内部２０が線状体１３と一体的に形成されており、この案内部２０の内側には、円弧状の挿通孔２０Ａが形成されている。なお、案内部２０は、線状体１３側をくの字形に形成されており、挿通孔２０Ａに線状体１３を挿入し易いように形成されている。
【００１９】
挿通孔２０Ａには、結束バンド１０の長手方向の端部側に位置して係止溝２１が連通するように形成されており、線状体１３を環状に変形させて、複数の線材Ｗなどを束ねて、係止溝２１に連結部１２を係止するようになっている。
【００２０】
なお、係止溝２１には、連結部１２を着脱自在に係止できるように、円柱型の連結部１２に対応して係止溝２１が円形型に形成されている。そして、図２に示すように、係止溝２１の直径Ｄは連結部１２の直径Ｄ１と略同一、または係止溝２１の直径Ｄを連結部１２の直径Ｄ１より僅かに小さく形成し、係止溝２１に連結部１２を繰り返し着脱できるようになっている。
【００２１】
また、案内部２０には、係止溝２１に連結部１２を係止する際に、案内部材２０の外側から線状体１３の連結部１２を挿通孔２０Ａに挿通する切欠溝２２が形成されていて、この切欠溝２２は、内側に向かうに従い幅が狭く形成された狭幅部２３が形成されており、この狭幅部２３の幅Ｄ３は、連結部の直径Ｄ１より僅かに小さく形成され、切欠溝２２から挿入されている線状体１３は、案内部２０を撓ませなければ、挿通孔２０Ａから取り外せないように形成されている。
【００２２】
また、図５及び図６は、結束バンド１０の変形例を示すものであり、これらの図を参酌しながら説明すると、切欠溝２２は、図６の挿通孔２０Ａをその中心点０を通る垂直線Ｘ及び水平線Ｙで４分割した際、少なくともその第３象限（３）の範囲内を含むように切欠溝２２を形成するのが良い。さらに、切欠溝２２は、挿通孔２０Ａの中心点０を基準に、図６の斜線の角度の範囲である垂直線Ｘから時計回りに３０度の位置から、垂直線Ｘから反時計回りに６０度の角度の範囲内、つまり、９０度とする角度の範囲内θに切欠溝２２の中心を配置させると良く、特に、図５に示すように、挿通孔２０Ａの中心０を基準に、第３象限（３）の範囲である垂直線Ｘから反時計回りの２０度の位置から反時計回りに４０度の範囲内であるθａの角度の範囲内に切欠溝２２を形成することが望ましい。これにより、線状体１３を挿通孔２０Ａに対して、より一層挿入し易く、外れにくく構成することができる。
【００２３】
次に、以上のように構成される結束バンドに係るその作用について説明する。図３は、線状体１３により線材Ｗを束ねた状態を示す斜視図である。同図に示すように、線材Ｗを束ねるために、作業者は、線状体１３を所望の円環状に変形させ、切欠溝２２から挿通孔２０Ａに線状体１３の連結部１２を挿入する。作業者は、複数の線材Ｗの束の大きさにほぼ合わせるようにして、直接切欠溝２２に線材Ｗを挿通する。そして、複数の線材Ｗを強固に結束する際には、線状体１３の先端側を引っ張ることにより、案内部２０に線状体１３をスライドさせて移動させることにより、線状体１３の締め込みを行って、係止溝２１に線状体１３の連結部１２を係止することにより、確実に複数の線材Ｗを強固に結束させる。
【００２４】
一方、結束された線材Ｗから結束バンド１０を取り外す際には、上述した作業の逆の手順を行うことにより、線材Ｗから結束バンド１０を容易に取り外すことができる。
【００２５】
以上のように、本実施例における結束バンド１０は、挿通孔２０Ａに線状体１３を挿通して線材Ｗを束ねた状態においては、線状体１３と挿通孔２０Ａ内との間には隙間を有しており、切欠溝２２から挿通孔２０Ａに挿通された連結部１２の両側部に有する球体１１，１１が、挿通孔２０Ａの内縁に沿ってスライド可能な可動状態にあるので、作業者は、線状体１３に球体１１を形成することにより、複数の線材Ｗを強固に結束する際に、線状体１３の先端側を比較的弱い力で引っ張ったとしても、挿通孔２０Ａ内に線状体１３の球体１１をスムーズにスライドさせて、容易且つ確実に複数の線材Ｗの締め込みを行うことができる。さらに、作業者などは、目視により複数の束ねられた線材Ｗのサイズに対応させて、挿通孔２０Ａに連結部１２の所望の箇所を挿通して位置決めをすることができるので、一般的に用いられる結束バンドのように、複数の線材Ｗなどを結束する際に、線状体１３などに相当するバンド部の先端部を、バンド部を係止するバックル部などに挿入して束ねられた線材Ｗのサイズに対応させて、バンド部の先端部から徐々移動させながら絞り込んで結束する煩わしい作業をする必要がないので本実施例の結束バンド１０は、作業時間の効率化を計るとともに、容易に複数の線材Ｗを結束することが可能である。さらに、切欠溝２２には、内側に向かうに従って幅を狭く形成した狭幅部２３を形成し、この狭幅部２３の幅Ｄ３は、連結部１２の直径Ｄ１より僅かに小さく形成したので、係止溝２１に係止された線状体１３が、係止溝２１から外的要因などの不測の事態により外れてしまったとしても、複数の線材Ｗが案内部の挿通孔２０Ａに保持されているので、例えば、テレビジョン受像機などに備えられたブラウン管などの高電圧装置の近傍に、複数の線材Ｗが結束されていたとしても、確実に複数の線材を保持することができるので、これらの線材Ｗが高電圧装置に接触することなどにより、事故などを引き起こすことを回避することができるので安全性に優れる。なお、本発明は、上述した本実施例の一例に限定されるものではなく種々の変形が可能である。例えば、膨出部を球体１１に代えて、直方体や立方体などの多面体としても良く、この場合も上述した実施例と同様の効果を得ることができる。
【図面の簡単な説明】
【００２６】
【図１】本発明の結束バンドの正面図である。
【図２】同上結束バンドの拡大正面図である。
【図３】同上案内部に線状体を挿通した状態を示す斜視図である。
【図４】同上係止溝に連結部を係止した状態を示す斜視図である。
【図５】結束バンドの変形例を示す正面図である。
【図６】同上、結束バンドの変形例を示す説明図である。
【符号の説明】
【００２７】
１０  結束バンド
１１  球体（膨出部）
１２  連結部
１３  線状体
２０  案内部
２０Ａ  挿通孔
２１  係止溝
２２  切欠溝
２３  狭幅部
【図１】
2005206226.tif 000003
【図２】
2005206226.tif 000004
【図３】
2005206226.tif 000005
【図４】
2005206226.tif 000006
【図５】
2005206226.tif 000007
【図６】
2005206226.tif 000008